(57)【要約】【課題】ユーザ毎に印刷装置の種々の設定値を保存することによって、セキュリティを保ちつつ再設定の煩わしさを無くすること。【解決手段】ユーザの認証機能を備えた印刷装置であって、登録された認証ユーザによる印刷装置へのログインの際に、印刷装置の使用条件を決める設定を記憶部に保存し、次回のログインの際に記憶部から設定を読み込み、読み込まれた設定によって印刷装置を動作させる構成とする。また、設定は印刷装置に備えられた操作画面の色指定であり、操作画面の背景、文字、キーなどを個別に色設定すること。また、ネットワークを介したコンピュータのリモート操作画面の色指定であること。設定は、印刷装置に備えられた操作画面のアクセシビリティの設定であり、表示文字の大きさ変更、表示項目の限定を設定する。【選択図】図２
2006231760.tif 000002
【特許請求の範囲】
【請求項１】
ユーザの認証機能を備えた印刷装置であって、
登録された認証ユーザによる前記印刷装置へのログインの際に、前記印刷装置の使用条件を決める設定を記憶部に保存し、
次回のログインの際に前記記憶部から前記設定を読み込み、
前記読み込まれた設定によって前記印刷装置を動作させる
ことを特徴とする印刷装置。
【請求項２】
請求項１において、前記設定は、前記印刷装置に備えられた操作画面の色指定であり、前記操作画面の背景、文字、キーなどを個別に色設定することを特徴とする印刷装置。
【請求項３】
請求項１において、
前記印刷装置は、ネットワークを介してコンピュータと接続され、前記コンピュータから操作指示を受けるものであり、
前記設定は、前記印刷装置の使用条件を表す前記コンピュータの操作画面の色指定であることを特徴とする印刷装置。
【請求項４】
請求項１において、前記設定は、前記印刷装置に備えられた操作画面のアクセシビリティの設定であり、表示文字の大きさ変更、表示項目の限定を設定することを特徴とする印刷装置。
【請求項５】
請求項１において、前記設定は、前記印刷装置に備えられた操作画面の表示言語を設定することを特徴とする印刷装置。
【請求項６】
請求項１において、前記設定は、前記印刷装置の給紙に関する設定であり、用紙サイズ、紙種類、トレイ指定などを指定することを特徴とする印刷装置。
【請求項７】
請求項１において、前記設定は、前記印刷装置の印刷物の色合いに関する設定であり、解像度、ガンマ値を設定することを特徴とする印刷装置。
【請求項８】
請求項１において、前記設定は、前記印刷装置の印刷の編集処理に関する設定値であり、集約、両面の可否などを設定することを特徴とする印刷装置。
【請求項９】
請求項１において、前記設定は、前記印刷装置の印刷物の後処理に関する設定であり、パンチ、ステープル、折り方向などを設定することを特徴とする印刷装置。
【請求項１０】
請求項１ないし９のいずれか１つの請求項に記載された印刷装置を有する画像形成装置。
【発明の詳細な説明】
【技術分野】
【０００１】
本発明は、ユーザ毎の使用管理を行うための認証機能を有する印刷装置に係わり、特に、印刷装置を使用する際に印刷装置の各種設定をユーザ毎に使い勝手を良くした制御方式に関する。
【背景技術】
【０００２】
従来、色弱者などの個別のユーザの好みに応じて、デジタル複写機における操作部や印刷画像などを見やすくする色変換装置が提案されている（例えば、特許文献１を参照）。この特許文献１によると、ユーザ別の配色パターンに合った色データが取り出され、色変換手段によって取り出された色データを用いて表示色の色変換を行っている。換言すると、色変換を印刷画像へ反映させようとするために、用意されたパターンから選んで設定している。
【０００３】
また、複写動作におけるユーザフレンドリー機能を備えた複写装置についての従来技術として、特許文献２が挙げられるが、この特許文献２によると、予め各個人の認証情報と個人情報とを登録しておき、認証情報を認識すると、対応する個人情報に応じて複写機能の制御を切り替えることにより、全ての使用者にユーザフレンドリーなマンマシンインターフェースを提供できることが開示されている。
【特許文献１】特開２００４−２００９５５号公報
【特許文献２】特開２００２−３４４６８１号公報
【発明の開示】
【発明が解決しようとする課題】
【０００４】
一般に、印刷装置を使用する際に、ユーザによって使用する設定が異なっている場合があり、ユーザが変わる度に設定をやり直して印刷装置を使用するのは煩わしいことである。その一方で、認証機能を備えた印刷装置が普及し始めており、ユーザ毎の管理を行う仕組みも進んでいる。
【０００５】
上記の特許文献２によれば、複写装置に予め個人情報を登録することで、使用しているユーザ毎に登録した個人情報を元に複写装置の動作を変えるようにしているが、色弱、色盲、聴力などいったプライバシーに関わる個人の身体的な情報や身分などの個人情報を登録することを前提にしたものであり、不必要な個人情報の登録によって個人情報の漏洩の危険性が高まるという課題が生じる。
【０００６】
また、上記の特許文献１によれば、色変換を印刷画像へ反映させるに際して、用意されたパターンの中から選定して選んで設定しているので、ユーザ毎のきめ細かな、且つより見やすい設定を行うことが難しいという課題がある。
【０００７】
本発明の目的は、ユーザ毎に印刷装置の種々の設定値を保存することによって、セキュリティを保ちつつ再設定の煩わしさを無くする印刷装置を提供することにある。
【課題を解決するための手段】
【０００８】
前記課題を解決するために、本発明は次のような構成を採用する。  
ユーザの認証機能を備えた印刷装置であって、登録された認証ユーザによる前記印刷装置へのログインの際に、前記印刷装置の使用条件を決める設定を記憶部に保存し、次回のログインの際に前記記憶部から前記設定を読み込み、前記読み込まれた設定によって前記印刷装置を動作させる構成とする。
【０００９】
また、前記印刷装置において、前記設定は、前記印刷装置に備えられた操作画面の色指定であり、前記操作画面の背景、文字、キーなどを個別に色設定すること。また、前記印刷装置は、ネットワークを介してコンピュータと接続され、前記コンピュータから操作指示を受けるものであり、前記設定は、前記印刷装置の使用条件を表す前記コンピュータの操作画面の色指定であること。また、前記印刷装置において、前記設定は、前記印刷装置に備えられた操作画面のアクセシビリティの設定であり、表示文字の大きさ変更、表示項目の限定を設定する。
【００１０】
また、印刷装置において、前記設定は、前記印刷装置に備えられた操作画面の表示言語を設定すること。また、前記設定は、前記印刷装置の給紙に関する設定であり、用紙サイズ、紙種類、トレイ指定などを指定すること。また、前記設定は、前記印刷装置の印刷物の色合いに関する設定であり、解像度、ガンマ値を設定すること。また、前記設定は、前記印刷装置の印刷の編集処理に関する設定値であり、集約、両面の可否などを設定すること。前記設定は、前記印刷装置の印刷物の後処理に関する設定であり、パンチ、ステープル、折り方向などを設定すること。
【発明の効果】
【００１１】
本発明によると、ユーザ毎に印刷装置の各種設定値を保存することで、次回にログインした際にもその設定値によって動作させることができるので、印刷装置を使い易くでき、再設定などの煩わしさを無くすることができる。
【発明を実施するための最良の形態】
【００１２】
本発明の実施形態に係る印刷装置について、図１〜図５を参照しながら以下説明する。図１は本発明の実施形態に係る印刷装置の概略的な内部構成を示す図である。図２は本実施形態に係る印刷装置にログイン時にユーザ毎の設定値を読み込む処理手順を示す図である。図３は本実施形態に係る印刷装置の操作画面を表す図である。図４は本実施形態に係る印刷装置における画面の色設定画面を示す図である。図５は本実施形態に係る印刷装置のアクセシビリティの設定画面を表す図である。
【００１３】
図１において、本発明の実施形態に係る印刷装置は、その内部構成として、概略的には、入出力部１と、印刷装置の各種設定、例えば、操作画面の色指定、操作画面のアクセシビリティの設定、編集処理の設定などを行う設定管理部２と、メモリ４やＨＤＤ５からなる記憶部３と、認証機能６と、印刷機能７と、を少なくとも備えている。ここで、本実施形態に係る印刷装置の認証機能６には、Ｂａｓｉｃ認証、サーバ認証、指紋認証、カード認証などがある。
【００１４】
認証機能６による認証を得て印刷装置の使用権を得た場合、使用権を得たユーザが設定値を変更すると、その変更した設定値について設定管理部３がユーザ情報とともにＨＤＤ７などの不揮発性記憶媒体に保存する。ユーザがログイン中は変更した設定値で印刷装置は動作を行い、次回、印刷装置にログインした際においてもＨＤＤ７からログインしたユーザの設定値をまず読み込むことで（ユーザ情報と併せて）、毎回、ユーザは印刷装置の使用条件（設定条件）が変わることなく使用することができる。このように、使用に際して認証を求めるような印刷装置においてユーザを識別できるのであれば、ユーザが使用した際に印刷装置の設定もあわせて保存することが可能であり、次回使用する際には再び同じ設定を読み込むことができるので、設定をやり直すような煩わしさが解消される。
【００１５】
図２に設定値を読み込む手順を示す。ログイン時に印刷装置の認証機能８が有効か否かを判定し（ステップ１）、有効でなければデフォルトの設定を読み込み（ステップ２）、画面を表示する（ステップ６）。ステップ１の判定で有効であれば、認証を得ているユーザがいるかどうかを判定し（ステップ３）、ＮＯであれば認証を要求する（ステップ４）。ステップ３で認証を得ているユーザがいれば認証ユーザのＨＤＤなどに保存された設定値を読み込んで（ステップ５）、画面を表示する（ステップ６）。
【００１６】
図３において、入出力部１の操作画面において、画面の色設定メニュー（図３では「画面色設定」）で、画面の背景やボタン、文字などについて各々色指定をすることができる。印刷装置がデータとして持っている全ての色データの中から設定が可能である。色設定メニューの具体例を図４に示す。
【００１７】
図４に示す具体例において、色設定ができる対象は、背景、キー、文字であり、それぞれについて画面右端の白色から左端の黒色まで表示された種々のカラー（図４では白黒階調であるがカラーである）を設定することができる。ユーザが変更した設定値について、設定管理部２がユーザ情報と共にＨＤＤ５などの不揮発性記憶媒体に保存する。ユーザがログイン中はその設定値で印刷装置は振る舞い、次回ログインした際にもＨＤＤ５からログインしたユーザの設定値をまず読み込むことで、毎回ユーザの印刷装置の使用状態は変わらずにいられる。
【００１８】
このように、印刷装置に備え付けられた操作画面をユーザの好みの色に画面色を設定したり、色弱の方などが見やすい画面色を細かく設定することができ、さらにその設定値を保存することで、次回ログインした際にもその設定値によって動作することができるので、印刷装置を使い易くでき、再設定などの煩わしさもなくすことができる。
【００１９】
また、変更する画面が、印刷装置に備え付けられた操作画面ではなくて、ネットワークで接続されたホストコンピュータから印刷装置などの状態などを知る画面であってもよい。ホストコンピュータの画面においても、色設定メニューにて画面の背景やボタン、文字などについて各々色指定をすることが可能である。その際の色設定メニューの具体例は図４と同様である。そして、その印刷装置の動作も図２に示したような処理手順となり、毎回、ユーザは印刷装置の使用条件（設定条件）が変わることなく使用することができる。
【００２０】
このように、ネットワーク上のホストコンピュータからリモートで印刷装置の設定や状態を見る際の操作画面をユーザの好みの色に画面色を設定したり、色弱の方などが見やすい画面色を細かく設定することができ、さらにその設定値を保存することで、次回ログインした際にもその設定値によって動作することができるので、装置を使い易くでき、再設定などの煩わしさもなくすことができる。
【００２１】
また、印刷装置の設定値としてアクセシビリティ設定がある。ここで、アクセシビリティ設定とは文字などを大きくし、機能をユーザが使う最低限のものに限定するかわりに、使い易くしたものである。アクセシビリティ設定をした際の具体的な画面例を図５に示す。図５に示す操作画面は、図３に示す操作画面に対してアクセシビリティ設定を行うことによって、表示文字を大きくし、機能の表示を限定（図５の例では、文書印刷、画面色設定、用紙サイズに表示限定）したものである。図５における設定値の取り扱い方は図３の場合と同様である。
【００２２】
このように、高齢者などが使い易いように作られたアクセシビリティ画面の設定をユーザ毎に設定値を保存することで、次回ログインした際にもその設定値によって動作することができるので、印刷装置を使い易くでき、再設定などの煩わしさもなくすことができる。
【００２３】
また、設定値として印刷装置に備え付けられた操作画面の表示言語の設定がある。また、設定値として印刷装置の給紙に関わる設定値があり、印刷装置の給紙に関わる設定値とは用紙サイズや紙種類、トレイ指定などである。また、設定値として印刷装置の印刷物の色合いに関わる設定値があり、印刷物の色合いに関わる設定値とは解像度、ガンマ値などである。また、設定値として印刷装置の印刷の編集処理に関わる設定値であり、印刷装置の印刷の編集処理に関わる設定値とは、集約、両面の可否などである。また、設定値として、印刷装置の印刷物の後処理に関わる設定値であり、印刷装置の印刷物の後処理に関わる設定値とはパンチ、ステープル、折り方向などである。
【００２４】
そして、設定値についての取り扱い方や読み込みについては、上述した画面の色設定の場合と同様である。上述したそれらの設定値をユーザ毎に保存することで、次回ログインした際にもその設定値によって動作することができるので、印刷装置を使い易くでき、再設定などの煩わしさもなくすことができる。また、以上説明した印刷装置は、複写機、ファクシミリなどの画像形成装置に適用可能なものである。
【図面の簡単な説明】
【００２５】
【図１】本発明の実施形態に係る印刷装置の概略的な内部構成を示す図である。
【図２】本実施形態に係る印刷装置にログイン時にユーザ毎の設定値を読み込む処理手順を示す図である。
【図３】本実施形態に係る印刷装置の操作画面を表す図である。
【図４】本実施形態に係る印刷装置における画面の色設定画面を示す図である。
【図５】本実施形態に係る印刷装置におけるアクセシビリティ設定画面を表す図である。
【符号の説明】
【００２６】
１  入出力部
２  設定管理部
３  記憶部
４  メモリ
５  ＨＤＤ
６  認証機能
７  印刷機能
【図１】
2006231760.tif 000003
【図２】
2006231760.tif 000004
【図３】
2006231760.tif 000005
【図５】
2006231760.tif 000006
【図４】
2006231760.tif 000007